【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、ここにおいて、前記第２のＴＴＩ持続時間が、２つのスロットを含むサブフレームであり、前記第１のＴＴＩ持続時間が、１スロット以下である、
前記決定されたＣＳＩをもつ報告をそれの上で送信するためのスケジュールされていないアップリンクチャネルのリソースを識別することと、ここにおいて、前記リソースが、アップリンク制御情報（ＵＣＩ）のために予約されたリソースのセットから選択され、前記リソースの選択が、ＵＣＩのために予約されたリソースの前記セットがそれに割り振られるユーザ機器（ＵＥ）の数に少なくとも部分的に基づく、
前記識別されたリソース上で前記報告を送信することと
を備える、方法。
【請求項２】
ＵＣＩのために予約されたリソースの前記セットを示すシグナリングを受信すること
をさらに備える、請求項１に記載の方法。
【請求項３】
前記シグナリングがダウンリンク許可を備える、請求項２に記載の方法。
【請求項４】
ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、請求項１に記載の方法。
【請求項５】
ＵＣＩのために予約されたリソースの前記セットが、前記第１のＴＴＩ持続時間を有するＴＴＩのリソースブロックのセットを備える、請求項１に記載の方法。
【請求項６】
ＵＥの前記数が、コヒーレントユーザまたは非コヒーレントユーザ、あるいは両方を備える、請求項１に記載の方法。
【請求項７】
前記スケジュールされていないアップリンクチャネルの前記リソースを識別することは、
前記第１のＴＴＩ持続時間を有するＴＴＩがＣＳＩ報告のために利用可能であると決定すること
を備える、請求項１に記載の方法。
【請求項８】
前記報告が、アップリンク基準信号とは異なるサイクリックシフトを用いて送信される、請求項１に記載の方法。
【請求項９】
ワイヤレス通信のための装置であって、
プロセッサと、
前記プロセッサと電気通信しているメモリと、
前記メモリに記憶された命令と
を備え、前記命令は、前記プロセッサによって実行されたとき、前記装置に、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、ここにおいて、前記第２のＴＴＩ持続時間が、２つのスロットを含むサブフレームであり、前記第１のＴＴＩ持続時間が、１スロット以下である、
前記決定されたＣＳＩをもつ報告をそれの上で送信するためのスケジュールされていないアップリンクチャネルのリソースを識別することと、ここにおいて、前記リソースが、アップリンク制御情報（ＵＣＩ）のために予約されたリソースのセットから選択され、前記リソースの選択が、ＵＣＩのために予約されたリソースの前記セットがそれに割り振られるユーザ機器（ＵＥ）の数に少なくとも部分的に基づく、
前記識別されたリソース上で前記報告を送信することと
を行わせるように動作可能である、装置。
【請求項１０】
前記命令が、前記装置に、
ＵＣＩのために予約されたリソースの前記セットを示すシグナリングを受信すること
を行わせるように動作可能である、請求項９に記載の装置。
【請求項１１】
前記シグナリングが、ダウンリンク許可を備える、請求項１０に記載の装置。
【請求項１２】
ＵＣＩのために予約されたリソースの前記セットが、ＳＲ、ＣＳＩ報告、またはハイブリッド自動再送要求（ＨＡＲＱ）フィードバック、あるいはそれらの任意の組合せのために予約されたリソースを備える、請求項９に記載の装置。
【請求項１３】
ＵＣＩのために予約されたリソースの前記セットが、前記第１のＴＴＩ持続時間を有するＴＴＩのリソースブロックのセットを備える、請求項９に記載の装置。
【請求項１４】
ＵＥの前記数が、コヒーレントユーザまたは非コヒーレントユーザ、あるいは両方を備える、請求項９に記載の装置。
【請求項１５】
前記命令が、前記装置に、
前記第１のＴＴＩ持続時間を有するＴＴＩがＣＳＩ報告のために利用可能であると決定すること
を行わせるように動作可能である、請求項９に記載の装置。
【請求項１６】
前記命令が、前記装置に、
アップリンク基準信号とは異なるサイクリックシフトを用いて前記報告を送信すること
を行わせるように動作可能である、請求項９に記載の装置。
【請求項１７】
ワイヤレス通信のための装置であって、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定するための手段と、ここにおいて、前記第２のＴＴＩ持続時間が、２つのスロットを含むサブフレームであり、前記第１のＴＴＩ持続時間が、１スロット以下である、
前記決定されたＣＳＩをもつ報告をそれの上で送信するためのスケジュールされていないアップリンクチャネルのリソースを識別するための手段と、ここにおいて、前記リソースが、アップリンク制御情報（ＵＣＩ）のために予約されたリソースのセットから選択され、前記リソースの選択が、ＵＣＩのために予約されたリソースの前記セットがそれに割り振られるユーザ機器（ＵＥ）の数に少なくとも部分的に基づく、
前記識別されたリソース上で前記報告を送信することと
を備える、装置。
【請求項１８】
ＵＣＩのために予約されたリソースの前記セットを示すシグナリングを受信するための手段
をさらに備える、請求項１７に記載の装置。
【請求項１９】
ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、請求項１７に記載の装置。
【請求項２０】
ＵＣＩのために予約されたリソースの前記セットが、前記第１のＴＴＩ持続時間を有するＴＴＩのリソースブロックのセットを備える、請求項１７に記載の装置。
【請求項２１】
ＵＥの前記数が、コヒーレントユーザまたは非コヒーレントユーザ、あるいは両方を備える、請求項１７に記載の装置。
【請求項２２】
前記スケジュールされていないアップリンクチャネルの前記リソースを前記識別するための手段が、
前記第１のＴＴＩ持続時間を有するＴＴＩがＣＳＩ報告のために利用可能であると決定するための手段
をさらに備える、請求項１７に記載の装置。
【請求項２３】
前記報告が、アップリンク基準信号とは異なるサイクリックシフトを用いて送信される、請求項１７に記載の装置。
【請求項２４】
ワイヤレス通信のためのコードを記憶する非一時的コンピュータ可読媒体であって、前記コードが、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、ここにおいて、前記第２のＴＴＩ持続時間が、２つのスロットを含むサブフレームであり、前記第１のＴＴＩ持続時間が、１スロット以下である、
前記決定されたＣＳＩをもつ報告をそれの上で送信するためのスケジュールされていないアップリンクチャネルのリソースを識別することと、ここにおいて、前記リソースが、アップリンク制御情報（ＵＣＩ）のために予約されたリソースのセットから選択され、前記リソースの選択が、ＵＣＩのために予約されたリソースの前記セットがそれに割り振られるユーザ機器（ＵＥ）の数に少なくとも部分的に基づく、
前記識別されたリソース上で前記報告を送信することと
を行うために実行可能な１つまたは複数の命令を備える、非一時的コンピュータ可読媒体。
【請求項２５】
前記１つまたは複数の命令が、
ＵＣＩのために予約されたリソースの前記セットを示すシグナリングを受信すること
を行うために実行可能である、請求項２４に記載の非一時的コンピュータ可読媒体。
【請求項２６】
ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、請求項２４に記載の非一時的コンピュータ可読媒体。
【請求項２７】
ＵＣＩのために予約されたリソースの前記セットが、前記第１のＴＴＩ持続時間を有するＴＴＩのリソースブロックのセットを備える、請求項２４に記載の非一時的コンピュータ可読媒体。
【請求項２８】
ＵＥの前記数が、コヒーレントユーザまたは非コヒーレントユーザ、あるいは両方を備える、請求項２４に記載の非一時的コンピュータ可読媒体。
【請求項２９】
前記スケジュールされていないアップリンクチャネルの前記リソースを識別するために実行可能な前記１つまたは複数の命令が、
前記第１のＴＴＩ持続時間を有するＴＴＩがＣＳＩ報告のために利用可能であると決定すること
を行うために実行可能な命令を備える、請求項２４に記載の非一時的コンピュータ可読媒体。
【請求項３０】
前記報告が、アップリンク基準信号とは異なるサイクリックシフトを用いて送信される、請求項２４に記載の非一時的コンピュータ可読媒体。
【手続補正２】
【補正対象書類名】明細書
【補正対象項目名】０１６０
【補正方法】変更
【補正の内容】
【０１６０】
[0168]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、
前記識別されたリソース上で前記報告を送信することと
を備える、ワイヤレス通信の方法。
［Ｃ２］
前記スケジュールされていないアップリンクチャネルの前記リソースを識別することが、
アップリンク制御情報（ＵＣＩ）のために予約されたリソースのセットから前記リソースを選択すること
を備える、Ｃ１に記載の方法。
［Ｃ３］
ＵＣＩのために予約されたリソースの前記セットを示すシグナリングを受信すること
をさらに備える、Ｃ２に記載の方法。
［Ｃ４］
前記シグナリングがダウンリンク許可を備える、Ｃ３に記載の方法。
［Ｃ５］
ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、Ｃ２に記載の方法。
［Ｃ６］
ＵＣＩのために予約されたリソースの前記セットが、前記第１のＴＴＩ持続時間を有するＴＴＩのリソースブロックのセットを備える、Ｃ２に記載の方法。
［Ｃ７］
ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、Ｃ２に記載の方法。
［Ｃ８］
前記スケジュールされていないアップリンクチャネルの前記リソースを識別することは、
前記第１のＴＴＩ持続時間を有するＴＴＩがＣＳＩ報告のために利用可能であると決定すること
を備える、Ｃ１に記載の方法。
［Ｃ９］
前記報告が、アップリンク基準信号とは異なるサイクリックシフトを用いて送信される、Ｃ１に記載の方法。
［Ｃ１０］
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信することと、
前記通信リンクについてのチャネル状態の変化を決定することと、
前記ＣＳＩと前記チャネル状態の前記変化との間の差を示すシグナリングを送信することと
を備える、ワイヤレス通信の方法。
［Ｃ１１］
前記ＣＳＩをもつ前記報告、または前記ＣＳＩと前記チャネル状態の前記変化との間の前記差を示す前記シグナリングが、アップリンク制御情報（ＵＣＩ）のために予約されたリソースのセットから選択されたリソース上で送信される、Ｃ１０に記載の方法。
［Ｃ１２］
ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、Ｃ１１に記載の方法。
［Ｃ１３］
ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、Ｃ１１に記載の方法。
［Ｃ１４］
前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信すること
をさらに備える、Ｃ１０に記載の方法。
［Ｃ１５］
前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、Ｃ１０に記載の方法。
［Ｃ１６］
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定するための手段と、
前記決定されたＣＳＩをもつ報告をそれの上で送信するためのスケジュールされていないアップリンクチャネルのリソースを識別するための手段と、
前記識別されたリソース上で前記報告を送信するための手段と
を備える、ワイヤレス通信のための装置。
［Ｃ１７］
アップリンク制御情報（ＵＣＩ）のために予約されたリソースのセットから前記リソースを選択するための手段
をさらに備える、Ｃ１６に記載の装置。
［Ｃ１８］
ＵＣＩのために予約されたリソースの前記セットを示すシグナリングを受信するための手段
をさらに備える、Ｃ１７に記載の装置。
［Ｃ１９］
前記シグナリングがダウンリンク許可を備える、Ｃ１８に記載の装置。
［Ｃ２０］
ＵＣＩのために予約されたリソースの前記セットが、ＳＲ、ＣＳＩ報告、またはハイブリッド自動再送要求（ＨＡＲＱ）フィードバック、あるいはそれらの任意の組合せのために予約されたリソースを備える、Ｃ１７に記載の装置。
［Ｃ２１］
ＵＣＩのために予約されたリソースの前記セットが、前記第１のＴＴＩ持続時間を有するＴＴＩのリソースブロックのセットを備える、Ｃ１７に記載の装置。
［Ｃ２２］
ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、Ｃ１７に記載の装置。
［Ｃ２３］
前記第１のＴＴＩ持続時間を有するＴＴＩがＣＳＩ報告のために利用可能であると決定するための手段
をさらに備える、Ｃ１６に記載の装置。
［Ｃ２４］
アップリンク基準信号とは異なるサイクリックシフトを用いて前記報告を送信するための手段
をさらに備える、Ｃ１６に記載の装置。
［Ｃ２５］
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信するための手段と、
前記通信リンクについてのチャネル状態の変化を決定するための手段と、
前記ＣＳＩと前記チャネル状態の前記変化との間の差を示すシグナリングを送信するための手段と
を備える、ワイヤレス通信のための装置。
［Ｃ２６］
前記ＣＳＩをもつ前記報告、または報告されたＣＳＩと前記チャネル状態の前記変化との間の前記差を示す前記シグナリングが、アップリンク制御情報（ＵＣＩ）のために予約されたリソースのセットから選択されたリソース上で送信される、Ｃ２５に記載の装置。
［Ｃ２７］
ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、Ｃ２６に記載の装置。
［Ｃ２８］
ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、Ｃ２６に記載の装置。
［Ｃ２９］
前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信するための手段
をさらに備える、Ｃ２５に記載の装置。
［Ｃ３０］
前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、Ｃ２５に記載の装置。